(57)【要約】【課題】簡単な配線構造で、接続信頼性を向上させることが可能な波長可変干渉フィルター、測色センサー、および測色モジュールを提供する。【解決手段】  エタロン５は、第一基板５１と、第一基板５１に接合される第二基板５２と、これらの基板間で互いに対向して設けられる一対のミラー５６，５７と、第一基板５１に設けられる第一電極５４１、および第二基板５２に設けられる第二電極５４２を有する静電アクチュエーター５４と、第一基板５１の外周部に設けられ、第一電極５４１に接続される第一電極パッド５４１Ｂと、第一基板５１の外周部に設けられ、第一電極５４１とは絶縁される第二電極パッド５４３と、を備える。そして、第一基板５１および第二基板５２は、導電性の接合部５４６，５４７により接合され、第二電極５４２および第二電極パッド５４３は、これらの接合部５４６，５４７を介して導通される。【選択図】図２
2011081056.tif 000002
【特許請求の範囲】
【請求項１】
透光性を有する第一基板と、
前記第一基板の一面側に対向配置され、前記第一基板に接合される透光性の第二基板と、
前記第一基板および第二基板の互いに対向する面にそれぞれ設けられ、互いに対向配置される一対のミラーと、
前記第一基板の前記第二基板に対向する面に設けられる第一電極、および前記第二基板において前記第一電極に対向して設けられる第二電極を有し、これらの前記第一電極および前記第二電極の間に所定の電圧を印加することで、前記一対のミラーの間の寸法を可変させる静電アクチュエーターと、
前記第一基板の外周部に形成されるとともに、前記第一電極に接続される第一電極パッドと、
前記第一基板の外周部に形成されるとともに、前記第一電極とは絶縁される第二電極パッドと、
を備え、
前記第一基板および前記第二基板は、互いに対向する面にそれぞれ接合面を備え、これらの接合面間に設けられる導電性の接合層により接合され、
前記第二電極および前記第二電極パッドは、前記接合層を介して導通される
ことを特徴とする波長可変干渉フィルター。
【請求項２】
請求項１に記載の波長可変干渉フィルターにおいて、
前記接合面は、前記第一基板および前記第二基板の外周部分に沿って設けられる外周接合領域を備え、
前記第一基板の外周接合領域には、前記第二電極パッドに接続される導電性の第一接合膜が形成され、
前記第二基板の外周接合領域には、前記第二電極に接続される導電性の第一接合膜が形成され、
前記接合層は、前記第一接合膜および前記第二接合膜を接合した第一接続接合部を備える
ことを特徴とする波長可変干渉フィルター。
【請求項３】
請求項１または請求項２に記載の波長可変干渉フィルターにおいて、
第二基板上に設けられるとともに、前記第二電極の外周縁から前記第二基板の外周方向に向かって延びる導電性の第二電極引出部と、
前記第一基板上に設けられるとともに、前記第二電極パッドの外周縁から前記第一基板の内周方向に向かって延びる導電性の第二パッド引出部と、
を備え、
前記第一基板の前記接合面は、前記第二電極引出部の少なくとも一部が設けられる第一引出部接合領域を備え、
前記第二基板の前記接合面は、前記第二パッド引出部の少なくとも一部が設けられ、前記第一引出部接合領域に対向する第二引出部接合領域を備え、
前記接合層は、前記第一引出部接合領域の前記第二電極引出部、および前記第二引出部接合領域の前記第二パッド引出部を接合した第二接続接合部を備える
ことを特徴とする波長可変干渉フィルター。
【請求項４】
請求項１から請求項３のいずれかに記載の波長可変干渉フィルターにおいて、
前記第二基板は、前記第一基板および前記第二基板を基板厚み方向から見た平面視において、前記第一電極パッドおよび前記第二電極パッドと重なる位置に、前記第二基板の前記第一基板に対向する面側の空間と、前記第一基板とは対向しない面側の空間とを連通する連通部を備えた
ことを特徴とする波長可変干渉フィルター。
【請求項５】
請求項１から請求項４のいずれかに記載の波長可変干渉フィルターと、
前記波長可変干渉フィルターを透過した検査対象光を受光する受光手段と、
を備えることを特徴とする測色センサー。
【請求項６】
請求項５に記載の測色センサーと、
前記測色センサーの前記受光手段により受光された光に基づいて、測色処理を実施する測色処理部と、
を具備したことを特徴とする測色モジュール。
【発明の詳細な説明】
【技術分野】
【０００１】
本発明は、入射光から所望の目的波長の光を選択して射出する波長可変干渉フィルター、この波長可変干渉フィルターを備えた測色センサー、およびこの測色センサーを備えた測色モジュールに関する。
【背景技術】
【０００２】
従来、一対の基板の互いに対向する面に、それぞれ高反射ミラーを対向配置する波長可変干渉フィルターが知られている。このような波長可変干渉フィルターでは、一対のミラー間で光を反射させ、特定波長の光のみを透過させて、その他の波長の光を干渉により打ち消し合わせることで、入射光から特定波長の光のみを透過させる。この時、ミラー間のギャップを変更することで、所望の波長の光のみを透過させる。
ここで、ミラー間のギャップを変更する手段として、一方の基板に可動部を形成し、この可動部と、他方の基板の可動部に対向する面とにそれぞれミラーを形成する。また、各基板にそれぞれ電極を形成し、電極間に電圧を印加することで、静電引力により可動部を引っ張り、ミラー間ギャップを変更する構成が知られている（例えば、特許文献１参照）。
【０００３】
この特許文献１に記載の可変分光素子（波長選択干渉フィルター）では、一対の基板の互いに対向する面に、それぞれ反射膜と、電極とを形成し、電極に電圧を印加することで、互いに対向する反射膜間の距離を可変させて、所望の波長を分光し、透過させる。ここで、この可変分光素子では、電極に接続される配線パターンを各基板の半径方向外方に引き延ばして形成して、ワイヤボンディングにより接続している。また、他の配線方法として、電極に接続する配線パターンを各基板の側面まで引き延ばして、各基板の対向面から離れた位置でワイヤボンディングにより接続する方法も示されている。
【先行技術文献】
【特許文献】
【０００４】
【特許文献１】特開２００８−１９７３６２号公報
【発明の概要】
【発明が解決しようとする課題】
【０００５】
ところで、上記特許文献１に記載の波長選択干渉フィルターでは、センサー電極の配線パターンが各基板の外方に引き延ばされ、その引き延ばした先端部にてワイヤボンディングにより接続される構成となっている。ここで、波長選択フィルターの基板間の隙間は、非常に小さく形成されるものであり、例えば０．５μｍ〜１μｍに形成される。このため、このような僅かな隙間の基板間で、双方の基板にそれぞれ独立した配線を接続する場合、他方の基板の配線パターンに接触しないように、ワイヤボンディングを実施する必要があり、配線構造が複雑となり、接続信頼性も低下するという問題がある。また、基板の側面に電極を引き延ばして形成する場合、基板の側面にも電極形成用のレジストを形成する必要があるなど、製造工程が煩雑となり、構成も複雑となる。
【０００６】
本発明は上述のような問題に鑑みて、簡単な配線構造で、接続信頼性を向上させることが可能な波長可変干渉フィルター、測色センサー、および測色モジュールを提供することを目的とする。
【課題を解決するための手段】
【０００７】
本発明の波長可変干渉フィルターは、透光性を有する第一基板と、前記第一基板の一面側に対向配置され、前記第一基板に接合される透光性の第二基板と、前記第一基板および第二基板の互いに対向する面にそれぞれ設けられ、互いに対向配置される一対のミラーと、前記第一基板の前記第二基板に対向する面に設けられる第一電極、および前記第二基板において前記第一電極に対向して設けられる第二電極を有し、これらの前記第一電極および前記第二電極の間に所定の電圧を印加することで、前記一対のミラーの間の寸法を可変させる静電アクチュエーターと、前記第一基板の外周部に形成されるとともに、前記第一電極に接続される第一電極パッドと、前記第一基板の外周部に形成されるとともに、前記第一電極とは絶縁される第二電極パッドと、を備え、前記第一基板および前記第二基板は、互いに対向する面にそれぞれ接合面を備え、これらの接合面間に設けられる導電性の接合層により接合され、前記第二電極および前記第二電極パッドは、前記接合層を介して導通されることを特徴とする。
【０００８】
この発明では、第一基板に第一電極とは絶縁された第二電極パッドが形成され、第二基板に第二電極が形成され、これらの第二電極および第二電極パッドが第一基板および第二基板を接合する導電性の接合層を介して接続される。これにより、第一基板に形成される第一電極パッドおよび第二電極パッドは、それぞれ第一電極および第二電極に電気的に接続される。
このような構成とすることで、波長可変干渉フィルターにお静電アクチュエーターを制御するための導線を接続する際、第一基板に形成される第一電極パッドおよび第二電極パッドに対してのみ配線作業を行えばよく、配線構造が簡単となり、配線作業効率も向上する。
【０００９】
また、波長可変干渉フィルターでは、第一基板および第二基板間の隙間寸法も例えば５００μｍに形成され、非常に狭い空間となる。したがって、第一基板および第二基板の双方の互いに対向する面に電極パッドが形成されるような構成では、この狭い空間内で、第一基板に形成される電極パッド、および第二基板に形成される電極パッドにそれぞれ配線を実施する必要がある。このような構成では、配線作業が困難となるだけでなく、第一基板側の電極パッドに接続した配線が第二基板側の電極パッドに接触する場合なども考えられ、この場合、静電アクチュエーターを正常に制御することができない。また、これを避けるために、各電極パッドに接続する導線や、電極パッドおよび導線の接続部分の厚みを抑えることも考えられるが、このような場合、例えば電極パッドと導線との接続強度が弱く、例えば断線してしまうなどの問題がある。これに対して、本発明では、第一基板のみに第一電極パッドおよび第二電極パッドが形成されるため、これらの電極パッドに接続する導線の一部や、接続部分の一部が第二基板に接触した場合でも、接触による誤動作が起こらず、また、接続強度も大きくすることができるため、断線などの問題も生じず、接続信頼性を向上させることができる。
【００１０】
本発明の波長可変干渉フィルターでは、前記接合面は、前記第一基板および前記第二基板の外周部分に沿って設けられる外周接合領域を備え、前記第一基板の外周接合領域には、前記第二電極パッドに接続される導電性の第一接合膜が形成され、前記第二基板の外周接合領域には、前記第二電極に接続される導電性の第一接合膜が形成され、前記接合層は、前記第一接合膜および前記第二接合膜を接合した第一接続接合部を備えることが好ましい。
【００１１】
ここで、外周接合領域は、通常波長可変干渉フィルターにおいて、接合のために用いられる部分であるが、本発明では、第一基板の接合面における外周接合領域には導電性の第一接合膜が形成され、第二基板の接合面における外周接合領域には導電性の第二接合膜が形成される。そして、これらの第一接合膜と第二接合膜とが接合されることで接合層の第一接続接合部が構成される。また、第一接合膜に第二電極パッドが接続され、第二接合膜に第二電極が接続されるため、第二電極パッドおよび第二電極は、第一接続接合部を介して導通されることとなる。
このような構成では、接合用の接合膜を用いて第二電極と第二電極パッドとを電気的に接続することができるため、例えば第二電極と第二電極パッドを接続するための専用の電極パターンを別途形成するなどの必要がなく、波長可変干渉フィルターの電極形状を簡単にすることができる。また、第二電極パッドおよび第二電極の接続のために別途特別な工程を実施する必要がなく、第一基板および第二基板を接合するだけで容易に第二電極パッドと第二電極とを導通させることができる。
また、接合に用いられる外周接合領域は、第一基板および第二基板の外周部に広い面積を確保することができるため、例えば断線などの問題がなく、第二電極パッドから第二電極に確実に電圧を印加することができる。
【００１２】
本発明の波長可変干渉フィルターでは、第二基板上に設けられるとともに、前記第二電極の外周縁から前記第二基板の外周方向に向かって延びる導電性の第二電極引出部と、前記第一基板上に設けられるとともに、前記第二電極パッドの外周縁から前記第一基板の内周方向に向かって延びる導電性の第二パッド引出部と、を備え、前記第一基板の前記接合面は、前記第二電極引出部の少なくとも一部が設けられる第一引出部接合領域を備え、前記第二基板の前記接合面は、前記第二パッド引出部の少なくとも一部が設けられ、前記第一引出部接合領域に対向する第二引出部接合領域を備え、前記接合層は、前記第一引出部接合領域の前記第二電極引出部、および前記第二引出部接合領域の前記第二パッド引出部を接合した第二接続接合部を備えることが好ましい。
【００１３】
この発明では、接合面の第二接続接合部において、第二基板上に形成されて、第二電極に接続される第二電極引出部と、第一基板上に形成されて、第二電極パッドに接続される第二パッド引出部とが接合される。これにより、第二電極と第二電極パッドとが導通され、第一基板上の第一電極パッドおよび第二電極パッドに電圧を印加することで、静電アクチュエーターを制御することが可能となる。
このような構成では、上記発明と同様に、第二電極パッドおよび第二電極の接続のために別途特別な工程を実施する必要がなく、第一基板および第二基板を接合するだけで容易に第二電極パッドと第二電極とを導通させることができる。
【００１４】
本発明の波長可変干渉フィルターでは、前記第二基板は、前記第一基板および前記第二基板を基板厚み方向から見た平面視において、前記第一電極パッドおよび前記第二電極パッドと重なる位置に、前記第二基板の前記第一基板に対向する面側の空間と、前記第一基板とは対向しない面側の空間とを連通する連通部を備えることが好ましい。
【００１５】
ここで、連通部としては、第二基板の表裏を貫通するものであればいかなるものでもよく、例えば第一電極パッドおよび第二電極パッドに対応する位置に切欠を形成する構成であってもよく、第二基板に貫通孔を設ける構成であってもよい。
この発明では、第二基板から第一基板に向かう方向に見た平面視において、連通部により、第一基板に形成される第一電極パッドおよび第二電極パッドが露出される状態となる。したがって、導線を、連通部を通して第一電極パッドや第二電極パッドに接続することができ、配線作業効率を向上させることができる。
【００１６】
本発明の測色センサーは、上述した波長可変干渉フィルターと、前記波長可変干渉フィルターを透過した検査対象光を受光する受光手段と、を備えることを特徴とする。
【００１７】
この発明では、上述した発明と同様に、第二基板に形成される第二電極が、導電性の接合層を介して、第一基板に形成される第二電極パッドに導通されている。このため、波長可変干渉フィルターの製造時、第一電極パッドおよび第二電極パッドに導線を接続する配線作業において、第一基板に形成された第一電極パッドおよび第二電極パッドに対して配線作業を実施すればよく、配線作業の作業効率を向上させることができるため、製造コストも低減させることができる。したがって、このような波長可変干渉フィルターを組み込んだ測色センサーにおいても、波長可変干渉フィルターの製造コストが低下する分、測色センサーの製造コストも低減させることができる。
【００１８】
本発明の測色モジュールは、上述した測色センサーと、前記測色センサーの前記受光手段により受光された光に基づいて、測色処理を実施する測色処理部と、を具備したことを特徴とすることを特徴とする。
【００１９】
この発明では、測色モジュールは、上述のように、低コストで製造可能な測色センサーを備えるため、測色モジュールにおいても、その製造コストを低減させることができる。
【図面の簡単な説明】
【００２０】
【図１】本発明に係る第一実施形態の測色モジュールの概略構成を示す図である。
【図２】前記第一実施形態の波長可変干渉フィルターを構成するエタロンの概略構成を示す平面図である。
【図３】図２においてエタロンをIII-III線で断面した際の断面図である。
【図４】前記第一実施形態のエタロンの外観の概略を示す斜視図である。
【図５】前記第一実施形態の第一基板および第二基板の概略構成を示す斜視図である。
【図６】第一基板を検査対象光の入射側から見た際の、第一基板に形成される電極パターンを示す模式図である。
【図７】第二基板を検査対象光の入射側から見た際の、第二基板に形成される電極パターンを示す模式図である。
【図８】第二実施形態の波長可変干渉フィルターを構成するエタロンの概略構成を示す平面図である。
【図９】前記第二実施形態のエタロンの第一基板に形成される電極パターンを示す模式図である。
【図１０】前記第二実施形態のエタロンの第二基板に形成される電極パターンを示す模式図である。
【発明を実施するための形態】
【００２１】
〔第一実施形態〕
以下、本発明に係る第一実施形態の測色モジュールについて、図面を参照して説明する。
〔１．測色モジュールの全体構成〕
図１は、本発明に係る第一実施形態の測色モジュールの概略構成を示す図である。
この測色モジュール１は、図１に示すように、被検査対象Ａに光を射出する光源装置２と、本発明の測色センサー３と、測色モジュール１の全体動作を制御する制御装置４とを備えている。そして、この測色モジュール１は、光源装置２から射出される光を被検査対象Ａにて反射させ、反射された検査対象光を測色センサー３にて受光し、測色センサー３から出力される検出信号に基づいて、検査対象光の色度、すなわち被検査対象Ａの色を分析して測定するモジュールである。
【００２２】
〔２．光源装置の構成〕
光源装置２は、光源２１、複数のレンズ２２（図１には１つのみ記載）を備え、被検査対象Ａに対して白色光を射出する。また、複数のレンズ２２には、コリメーターレンズが含まれており、光源装置２は、光源２１から射出された白色光をコリメーターレンズにより平行光とし、図示しない投射レンズから被検査対象Ａに向かって射出する。
【００２３】
〔３．測色センサーの構成〕
測色センサー３は、図１に示すように、本発明の波長可変干渉フィルターを構成するエタロン５と、エタロン５を透過する光を受光する受光手段としての受光素子３１と、エタロン５で透過させる光の波長を可変する電圧制御手段６と、を備えている。また、測色センサー３は、エタロン５に対向する位置に、被検査対象Ａで反射された反射光（検査対象光）を、内部に導光する図示しない入射光学レンズを備えている。そして、この測色センサー３は、エタロン５により、入射光学レンズから入射した検査対象光のうち、所定波長の光のみを分光し、分光した光を受光素子３１にて受光する。
受光素子３１は、複数の光電交換素子により構成されており、受光量に応じた電気信号を生成する。そして、受光素子３１は、制御装置４に接続されており、生成した電気信号を受光信号として制御装置４に出力する。
【００２４】
（３−１．エタロンの構成）
図２は、第一実施形態の波長可変干渉フィルターを構成するエタロン５の概略構成を示す平面図であり、図３は、エタロン５を図２のIII-III線で断面した際の断面図である。図４は、エタロン５の外観の概略を示す斜視図である。図４は、エタロン５の外観を示す斜視図である。なお、図１では、エタロン５に検査対象光が図中下側から入射しているが、図３では、検査対象光が図中上側から入射するものとする。
エタロン５は、図２に示すように、平面正方形状の板状の光学部材であり、一辺が例えば１０ｍｍに形成されている。このエタロン５は、図３、図４に示すように、第一基板５１、および第二基板５２を備えている。これらの２枚の基板５１，５２は、それぞれ例えば、ソーダガラス、結晶性ガラス、石英ガラス、鉛ガラス、カリウムガラス、ホウケイ酸ガラス、無アルカリガラスなどの各種ガラスや、水晶などにより形成されている。これらの中でも、各基板５１，５２の構成材料としては、例えばナトリウム（Ｎａ）やカリウム（Ｋ）などのアルカリ金属を含有したガラスが好ましく、このようなガラスにより各基板５１，５２を形成することで、後述するミラー５６，５７や、各電極の密着性や、基板同士の接合強度を向上させることが可能となる。そして、これらの２つの基板５１，５２は、基板外周部分に形成される接合面５１３，５２４が接合されることで、一体的に構成されている。
【００２５】
また、第一基板５１と、第二基板５２との間には、本発明の一対のミラーを構成する固定ミラー５６および可動ミラー５７が設けられる。ここで、固定ミラー５６は、第一基板５１の第二基板５２に対向する面に固定され、可動ミラー５７は、第二基板５２の第一基板５１に対向する面に固定されている。また、これらの固定ミラー５６および可動ミラー５７は、ミラー間ギャップＧを介して対向配置されている。
さらに、第一基板５１と第二基板５２との間には、固定ミラー５６および可動ミラー５７の間のミラー間ギャップＧの寸法を調整するための静電アクチュエーター５４が設けられている。
【００２６】
（３−１−１．第一基板の構成）
図５は、エタロン５の第一基板５１および第二基板５２の概略構成を示す斜視図であり、図６は、第一基板５１に形成される電極パターンを示す模式図である。なお、図６は、第一基板５１を第二基板５２側から見た際の電極パターンを示す図であり、この図では、第一基板５１に形成される溝や凸部などの凹凸形状を示すラインを省略している。
第一基板５１は、厚みが例えば５００μｍに形成されるガラス基材をエッチングにより加工することで形成される。具体的には、図３、図５に示すように、第一基板５１には、エッチングにより電極形成溝５１１およびミラー固定部５１２が形成される。
電極形成溝５１１は、図２に示すようなエタロン５を厚み方向から見た平面視（以降、エタロン平面視と称す）において、平面中心点を中心とした円形に形成されている。ミラー固定部５１２は、前記平面視において、電極形成溝５１１の中心部から第二基板５２側に突出して形成される。
【００２７】
電極形成溝５１１は、ミラー固定部５１２の外周縁から、当該電極形成溝５１１の内周壁面までの間に、リング状の電極固定面５１１Ａが形成され、この電極固定面５１１Ａに第一電極５４１が形成される。この第一電極５４１は、導電性を有し、後述する第二基板５２の第二電極５４２との間で電圧を印加することで、第一電極５４１および第二電極５４２間に静電引力を発生させることが可能なものであれば、特に限定されないが、本実施形態では、接合用の膜としても使用可能なＡｕ／Ｃｒ合金（金−クロム合金）を用いる。
また、第一基板５１には、平面中心点に対して互いに対象となる頂点（図２における右上の頂点、および左下の頂点）には、それぞれエッチングにより、電極固定面５１１Ａと同一平面となる第一パッド固定面５１１Ｂが形成されている。さらに、第一基板５１には、第一パッド固定面５１１Ｂから電極固定面５１１Ａに亘って、これら電極固定面５１１Ａおよび第一パッド固定面５１１Ｂと同一平面となる底面を有する第一電極導入溝５１１Ｃが形成されている。
そして、これらの第一電極導入溝５１１Ｃの底面には、第一電極５４１の外周縁の一部から延出する第一電極引出部５４１Ａが形成される。また、この第一パッド固定面５１１Ｂには、第一電極引出部５４１Ａの先端部に設けられ、第一電極５４１に所定の電圧を印加するための第一電極パッド５４１Ｂが形成されている。これらの第一電極５４１、第一電極引出部５４１Ａ、および第一電極パッド５４１Ｂは、Ａｕ／Ｃｒ合金により一体形成される電極であり、第一基板５１上にスパッタリングなどの手法により膜状に形成される。
【００２８】
一方、第一基板５１の第一パッド固定面５１１Ｂが形成されない頂点（図２における左上の頂点、および右下の頂点）には、それぞれ溝深さが電極固定面５１１Ａと同一深さ寸法である第二パッド固定面５１１Ｄが形成される。そして、この第二パッド固定面５１１Ｄには、第二基板５２側に形成される後述する第二電極５４２に電圧を印加するための第二電極パッド５４３が形成されている。この第二電極パッド５４３は、上記第一電極５４１、第一電極引出部５４１Ａ、および第一電極パッド５４１Ｂと同様に、Ａｕ／Ｃｒ合金により膜状に形成されている。
この第二パッド固定面５１１Ｄおよび電極固定面５１１Ａの間には、これらを連通させる溝は形成されず、接合面５１３により隔てられている。
【００２９】
ここで、第一基板５１において、溝が形成されていない部分が第一基板５１の接合面５１３となる。この接合面５１３は、図５に示すように、外周接合領域５１３Ａと、第一引出部接合領域５１３Ｂとを備えている。
外周接合領域５１３Ａは、第一基板５１の外周部に沿うとともに、電極固定面５１１Ａ、第一パッド固定面５１１Ｂよび第二パッド固定面５１１Ｄにより囲われる領域であり、第一基板５１の各辺に対応して４つ設けられ、これらの４つの外周接合領域５１３Ａにより電極形成溝５１１の四方を囲っている。一方、第一引出部接合領域５１３Ｂは、第二パッド固定面５１１Ｄと電極固定面５１１Ａとの間に設けられ、第二パッド固定面５１１Ｄに隣り合う２つの外周接合領域５１３Ａ同士を接続する領域である。
【００３０】
そして、４つの外周接合領域５１３Ａには、それぞれ、図５、図６に示すように、接合用の第一接合膜５４４が膜状に形成されている。この第一接合膜５４４としては、上記第一電極５４１や第二電極パッド５４３と同様に、Ａｕ／Ｃｒ合金が用いられる。また、各第二パッド固定面５１１Ｄに隣接する２つの外周接合領域５１３Ａに形成される第一接合膜５４４のうちの一方には、第二電極パッド５４３と連結される電極連結部５４４Ａが、第一基板５１の基板面に沿って形成されている。
なお、本実施形態では、図２において、図面上側に配置される第一接合膜５４４と、図面左上側に配置される第二電極パッド５４３とが、電極連結部５４４Ａにより接続され、図面下側に配置される第一接合膜５４４と、図面右下側に配置される第二電極パッド５４３とが、電極連結部５４４Ａにより接続される例を示すが、例えば、図面左側に配置される第一接合膜５４４と、図面左上側に配置される第二電極パッド５４３とを電極連結部５４４Ａにより接続し、図面右側に配置される第一接合膜５４４と、図面右下側に配置される第二電極パッド５４３と、を電極連結部５４４Ａにより接続する構成としてもよい。
【００３１】
また、図５、図６に示すように、第二電極パッド５４３は、第一基板５１側の端縁の一部から、第一基板５１の中心点に向かって延び、接合面５１３の第一引出部接合領域５１３Ｂにおける電極形成溝５１１の縁までに亘って形成される第二パッド引出部５４３Ａを備えている。
【００３２】
上記のように、第一電極５４１、第一電極引出部５４１Ａ、第一電極パッド５４１Ｂ、第二電極パッド５４３、第二パッド引出部５４３Ａ、第一接合膜５４４、および電極連結部５４４Ａは、いずれもＡｕ／Ｃｒ合金により膜状に形成される。このように、第一基板５１上の各電極や接合膜を同一素材により形成することで、これらの電極や接合膜の形成を容易に行うことが可能となる。すなわち、これらの電極および接合膜は、第一基板５１の製造時において、エッチングにより、電極形成溝５１１（電極固定面５１１Ａ）、ミラー固定部５１２、第一パッド固定面５１１Ｂ、第一電極導入溝５１１Ｃ、第二パッド固定面５１１Ｄが形成された後、スパッタリングなどの手法により形成される。この時、各電極や接合膜の形成のために、製造工程を分割する必要がなく、１つの工程で、第一電極５４１、第一電極引出部５４１Ａ、第一電極パッド５４１Ｂ、第二電極パッド５４３、第二パッド引出部５４３Ａ、第一接合膜５４４、および電極連結部５４４Ａを形成することが可能となる。
【００３３】
ミラー固定部５１２は、上述したように、電極形成溝５１１と同軸上で、電極形成溝５１１よりも小さい径寸法となる円柱状に形成されている。なお、本実施形態では、図３に示すように、ミラー固定部５１２の第二基板５２に対向するミラー固定面５１２Ａが、電極固定面５１１Ａよりも第二基板５２に近接して形成される例を示すが、これに限らない。電極固定面５１１Ａおよびミラー固定面５１２Ａの高さ位置は、ミラー固定面５１２Ａに固定される固定ミラー５６、および第二基板５２に形成される可動ミラー５７の間のミラー間ギャップＧの寸法、第一電極５４１および第二基板５２に形成される後述の第二電極５４２の間の寸法、固定ミラー５６や可動ミラー５７の厚み寸法により適宜設定されるものであり、上記のような構成に限られない。例えばミラー５６，５７として、誘電体多層膜ミラーを用い、その厚み寸法が増大する場合、電極固定面５１１Ａとミラー固定面５１２Ａとが同一面に形成される構成や、電極固定面５１１Ａの中心部に、円柱凹溝上のミラー固定溝が形成され、このミラー固定溝の底面にミラー固定面５１２Ａが形成される構成などとしてもよい。
【００３４】
また、ミラー固定部５１２のミラー固定面５１２Ａは、エタロン５を透過させる波長域をも考慮して、溝深さが設計されることが好ましい。例えば、本実施形態では、固定ミラー５６および可動ミラー５７の間のミラー間ギャップＧの初期値（第一電極５４１および第二電極５４２間に電圧が印加されていない状態のミラー間ギャップＧの寸法）が４５０ｎｍに設定され、第一電極５４１および第二電極５４２間に電圧を印加することにより、ミラー間ギャップＧが例えば２５０ｎｍになるまで可動ミラー５７を変位させることが可能となっており、これにより、第一電極５４１および第二電極５４２間の電圧を可変することで、可視光全域の波長の光を選択的に分光させて透過させることが可能となる。この場合、固定ミラー５６および可動ミラー５７の膜厚およびミラー固定面５１２Ａや電極固定面５１１Ａの高さ寸法は、ミラー間ギャップＧを２５０ｎｍ〜４５０ｎｍの間で変位可能な値に設定されていればよい。
【００３５】
そして、ミラー固定面５１２Ａには、直径が約３ｍｍの円形状に形成される固定ミラー５６が固定されている。この固定ミラー５６は、ＡｇＣ単層により形成されるミラーであり、スパッタリングなどの手法によりミラー固定面５１２Ａに形成される。
なお、本実施形態では、固定ミラー５６として、エタロン５で分光可能な波長域として可視光全域をカバーできるＡｇＣ単層のミラーを用いる例を示すが、これに限定されず、例えば、エタロン５で分光可能な波長域が狭いが、ＡｇＣ単層ミラーよりも、分光された光の透過率が大きく、透過率の半値幅も狭く分解能が良好な、例えばＴｉＯ２−ＳｉＯ２系誘電体多層膜ミラーを用いる構成としてもよい。ただし、この場合、上述したように、第一基板５１のミラー固定面５１２Ａや電極固定面５１１Ａの高さ位置を、固定ミラー５６や可動ミラー５７、分光させる光の波長選択域などにより、適宜設定する必要がある。
【００３６】
さらに、第一基板５１は、第二基板５２に対向する上面とは反対側の下面において、固定ミラー５６に対応する位置に図示略の反射防止膜（ＡＲ）が形成されている。この反射防止膜は、低屈折率膜および高屈折率膜を交互に積層することで形成され、第一基板５１の表面での可視光の反射率を低下させ、透過率を増大させる。
【００３７】
（３−１−２．第二基板の構成）
図７は、検査対象光の入射側から第二基板５２を見た場合における、第二基板５２に形成される電極パターンを示す図である。
第二基板５２は、厚みが例えば２００μｍに形成されるガラス基材をエッチングにより加工することで形成される。
具体的には、第二基板５２には、図２に示すような平面視において、基板中心点を中心とした円形の変位部５２１が形成される。この変位部５２１は、円柱状の可動部５２２と、可動部５２２と同軸であり可動部５２２を保持する連結保持部５２３と、を備えている。
このような変位部５２１は、第二基板５２の形成素材である平板状のガラス基材をエッチングにより溝を形成することで形成される。すなわち、変位部５２１は、第二基板５２の第一基板５１に対向する面に、エタロン平面視で円形状の変位形成凹溝５２１Ａをエッチング形成し、第二基板５２の第一基板５１に対向しない入射側面に、連結保持部５２３を形成するための円環状の凹溝をエッチング形成することで、形成されている。なお、変位形成凹溝５２１Ａの溝深さは、ミラー間ギャップＧや第一電極５４１および第二電極５４２間の電磁ギャップの寸法により適宜設定される。
また、第二基板５２は、図２〜図５に示すように、第一基板５１に形成される第一電極パッド５４１Ｂ、および第二電極パッド５４３に対向する頂点部分が、例えばレーザーカットなどによる切断や、エッチングなどにより切り欠かれ、本発明の連通部である切欠部５２６が形成されている。
【００３８】
可動部５２２は、連結保持部５２３よりも厚み寸法が大きく形成され、例えば、本実施形態では、第二基板５２の厚み寸法と同一寸法である２００μｍに形成されている。また、可動部５２２は、ミラー固定部５１２に平行な可動面５２２Ａを備え、この可動面５２２Ａに可動ミラー５７が固定されている。ここで、この可動ミラー５７と、上記した固定ミラー５６とにより、本発明の一対のミラーが構成される。
ここで、この可動ミラー５７は、上述した固定ミラー５６と同一の構成のミラーが用いられ、本実施形態では、ＡｇＣ単層ミラーが用いられる。また、ＡｇＣ単層ミラーの膜厚寸法は、例えば０．０３μｍに形成されている。
【００３９】
また、可動面５２２Ａには、エタロン平面視において略リング形状であり、可動面５２２Ａから第一基板５１側に突出する外周突出部５２５が形成されている。この外周突出部５２５は、図２、図３、図５に示すように、可動ミラー５７の外周側に沿って形成される。また、外周突出部５２５は、エタロン平面視におけるリング幅寸法が例えば３０μｍに形成され、可動面５２２Ａからの突出寸法が例えば０．１５μｍに形成され、可動ミラー５７のミラー面よりも第一基板５１側に突出して形成されている。
この外周突出部５２５は、可動部５２２が第一基板５１側に移動した際のミラー５６，５７同士の貼り付きを防止する。また、可動ミラー５７の形成時における、ＡｇＣの形成領域を示す枠となり、外周突出部５２５を形成することで可動ミラー５７の形成が容易となる。
【００４０】
さらに、可動部５２２は、可動面５２２Ａとは反対側の上面において、可動ミラー５７に対応する位置に図示略の反射防止膜（ＡＲ）が形成されている。この反射防止膜は、第一基板５１に形成される反射防止膜と同様の構成を有し、低屈折率膜および高屈折率膜を交互に積層することで形成される。
【００４１】
連結保持部５２３は、可動部５２２の周囲を囲うダイヤフラムであり、例えば厚み寸法が５０μｍに形成されている。この連結保持部５２３の第一基板５１に対向する面には、第一電極５４１と、約１μｍの電磁ギャップを介して対向する、リング状の第二電極５４２が形成されている。ここで、この第二電極５４２および前述した第一電極５４１により、本発明の可変手段である静電アクチュエーター５４が構成される。この第二電極５４２は、第一基板５１に形成される各電極や接合膜と同様に、Ａｕ／Ｃｒ合金により形成される。
【００４２】
また、第二基板５２では、第一基板５１に対向する面において、変位形成凹溝５２１Ａが形成されない領域が、第二基板５２における接合面５２４となる。この接合面５２４は、第一基板５１の外周接合領域５１３Ａに対向する外周接合領域５２４Ａと、第一引出部接合領域５１３Ｂに対向する第二引出部接合領域５２４Ｂと、を備えている。そして、外周接合領域５２４Ａには、第一基板５１の外周接合領域５１３Ａと同様に、Ａｕ／Ｃｒ合金を膜状に形成した第二接合膜５４５が設けられている。
【００４３】
そして、前記した第二電極５４２の外周縁の一部からは、一対の第二電極引出部５４２Ａが外周方向に向かって、具体的には、図２における左上頂点方向、および右下頂点方向に向かって延出して形成されている。この第二電極引出部５４２Ａは、変位形成凹溝５２１Ａの底面５２１Ｂから、変位形成凹溝５２１Ａの溝壁面を伝い、接合面５２４の第二引出部接合領域５２４Ｂ上に延び、さらに、図２および図７に示すように、第二引出部接合領域５２４Ｂに隣接する外周接合領域５２４Ａ上の第二接合膜のうち、いずれか一方に連結されている。本実施形態では、図２に示すような平面視において、左上方向に延びる第二電極引出部５４２Ａは、図中上側に形成される第二接合膜５４５に連結され、右下方向に延びる第二電極引出部５４２Ａは、図中下側に形成される第二接合膜５４５に連結される。
【００４４】
上記のように、第二電極５４２、第二電極引出部５４２Ａ、および第二接合膜５４５は、いずれもＡｕ／Ｃｒ合金により膜状に形成される。このように、第二基板５２上の各電極や接合膜を同一素材により形成することで、上述した第一基板５１と同様に、これらの電極や接合膜の形成を容易に行うことが可能となる。すなわち、これらの電極および接合膜は、第二基板５２の製造時において、エッチングにより、第二基板５２に変位形成凹溝５２１Ａを形成した後、スパッタリングなどの手法により形成される。この時、各電極や接合膜の形成のために、製造工程を分割する必要がなく、１つの工程で、第二電極５４２、第二電極引出部５４２Ａ、および第二接合膜５４５を形成することが可能となる。
【００４５】
（３−１−３．第一基板および第二基板の接合構成）
エタロン５では、上述したような第一基板５１および第二基板５２を接合することにより一体的に形成される。この時、第一基板５１の接合面５１３における外周接合領域５１３Ａと、第二基板５２の接合面５２４における外周接合領域５２４Ａとが重なり合い、かつ、接合面５１３の第一引出部接合領域５１３Ｂと、接合面５２４の第二引出部接合領域５２４Ｂとが重なり合うように、第一基板５１および第二基板５２を配置して接合する。これにより、第一接合膜５４４と第二接合膜５４５とが密着接合されることで、本発明の接合層の一部を構成する第一接続接合部５４６が形成される。また、第一引出部接合領域５１３Ｂに形成される第二パッド引出部５４３Ａと、第二引出部接合領域５２４Ｂに形成される第二電極引出部５４２Ａとが密着接合されることで、本発明の接合層の一部を構成する第二接続接合部５４７が形成される。
【００４６】
ここで、第一接続接合部５４６は、Ａｕ／Ｃｒ合金により形成される第一接合膜５４４および第二接合膜５４５の接合となるため、電気的にも導通した状態となる。同様に、第二接続接合部５４７は、Ａｕ／Ｃｒ合金により形成される第二パッド引出部５４３Ａおよび第二電極引出部５４２Ａの接合となるため、電気的にも導通した状態となる。また、第二電極５４２は、第二電極引出部５４２Ａを介して第二接合膜５４５と電気的に導通し、第二電極パッド５４３は、電極連結部５４４Ａを介して第一接合膜５４４と電気的に導通している。このため、第二電極５４２および第二電極パッド５４３は、第二電極引出部５４２Ａ、第一接続接合部５４６、電極連結部５４４Ａを介して導通される。これに加えて、第二電極５４２および第二電極パッド５４３は、第二電極引出部５４２Ａ、第二接続接合部５４７、第二パッド引出部５４３Ａを介して導通される。すなわち、第二電極５４２と第二電極パッド５４３は、第一接続接合部５４６を通る導通ルート、および第二接続接合部５４７を通る導通ルートの２つの導通ルートで導通される。
【００４７】
このため、第一電極パッド５４１Ｂおよび第二電極パッド５４３に、それぞれ電圧制御手段６に接続される導線を接続することで、静電アクチュエーター５４を制御することが可能となる。
なお、本実施形態では、２つの第一電極パッド５４１Ｂおよび２つの第二電極パッド５４３が設けられるが、静電アクチュエーター５４の駆動時には、２つの第一電極パッド５４１Ｂのうちいずれか一方、および２つの第二電極パッド５４３のうちのいずれか一方にのみに電圧が印加される。そして、他方の第一電極パッド５４１Ｂおよび第二電極パッド５４３は、第一電極５４１および第二電極５４２の電荷保持量を検出するための検出端子として用いられる。
【００４８】
（３−１−４．エタロンと電圧制御手段との接続）
上述のようなエタロン５と電圧制御手段６との接続では、２つの第一電極パッド５４１Ｂおよび２つの第二電極パッド５４３に、それぞれ、電圧制御手段６に接続された導線を例えばワイヤボンディングなどにより接続する。
ここで、エタロン５の第二基板５２は、第一電極パッド５４１Ｂおよび第二電極パッド５４３に対向する位置が切り欠かれた切欠部５２６が形成されている。このため、エタロン５に導線を接続する際には、例えば第一基板５１および第二基板５２の間に導線を差し込むなどの煩雑な作業が不要となり、エタロン５の光入射側面から直接第一電極パッド５４１Ｂや第二電極パッド５４３に接続することが可能となる。また、配線作業時に、切欠部５２６により切り欠かれた空間が作業スペースとなる。したがって、エタロン５への配線作業を容易に実施することができる。
【００４９】
（３−２．電圧制御手段の構成）
電圧制御手段６は、上記エタロン５とともに、本発明の波長可変干渉フィルターを構成する。この電圧制御手段６は、制御装置４からの入力される制御信号に基づいて、静電アクチュエーター５４の第一電極５４１および第二電極５４２に印加する電圧を制御する。
【００５０】
〔４．制御装置の構成〕
制御装置４は、測色モジュール１の全体動作を制御する。
この制御装置４としては、例えば汎用パーソナルコンピューターや、携帯情報端末、その他、測色専用コンピューターなどを用いることができる。
そして、制御装置４は、図１に示すように、光源制御部４１、測色センサー制御部４２、および測色処理部４３などを備えて構成されている。
光源制御部４１は、光源装置２に接続されている。そして、光源制御部４１は、例えば利用者の設定入力に基づいて、光源装置２に所定の制御信号を出力し、光源装置２から所定の明るさの白色光を射出させる。
測色センサー制御部４２は、測色センサー３に接続されている。そして、測色センサー制御部４２は、例えば利用者の設定入力に基づいて、測色センサー３にて受光させる光の波長を設定し、この波長の光の受光量を検出する旨の制御信号を測色センサー３に出力する。これにより、測色センサー３の電圧制御手段６は、制御信号に基づいて、利用者が所望する光の波長のみを透過させるよう、静電アクチュエーター５４への印加電圧を設定する。
【００５１】
〔５．第一実施形態の作用効果〕
上述したように、上記第一実施形態のエタロン５では、第一基板５１上の第二電極パッド５４３と、第二基板５２上の第二電極５４２とが、第一基板５１および第二基板５２を接合する導電性の接合層、すなわち第一接続接合部５４６および第二接続接合部５４７を介して接続されている。このため、第一基板５１および第二基板５２を接合させるだけで、第二基板５２上の第二電極５４２と第一基板５１上の第二電極パッド５４３とを電気的に導通させることができる。
【００５２】
そして、このように、第一基板５１に、第一電極５４１と導通する第一電極パッド５４１Ｂ、第二電極５４２と導通する第二電極パッド５４３を設けることで、エタロン５と電圧制御手段６との接続作業が容易となる。すなわち、第一基板５１上に第一電極パッド５４１Ｂが設けられる第二基板５２上に第二電極５４２に導通する第二電極パッドが設けられて、これらの電極パッドに導線を接続する構成では、第一基板５１および第二基板５２の双方に導線の接続作業を実施する必要がある。エタロン５では、第一基板５１および第二基板５２の隙間寸法が非常に小さく形成されるため、このように第一基板５１および第二基板５２上のそれぞれに設けられる電極パッドに導線を接続する配線作業は困難であり、接続信頼性も低下する。これに対して、本実施形態では、第一基板５１上に第一電極パッド５４１Ｂおよび第二電極パッド５４３が形成されるため、第一基板５１に対してのみ配線作業を実施すればよい。したがって、エタロン５を測色センサー３に組み込む際に、エタロン５と電圧制御手段６との接続作業も容易となり、エタロン５、測色センサー３、測色モジュール１の製造効率を向上させることができる。
【００５３】
また、第二電極５４２および第二電極パッド５４３は、第一接続接合部５４６および第二接続接合部５４７の双方を介して導通されている。
ここで、第二電極５４２および第二電極パッド５４３を第二接続接合部５４７のみを介して導通させる場合、第二電極５４２から延びる第二電極引出部５４２Ａ、および第二電極パッド５４３から延びる第二パッド引出部５４３Ａを確実に接触させる必要がある。しかし、これらの第二電極引出部５４２Ａおよび第二パッド引出部５４３Ａは、例えば幅寸法が１ｍｍ以下に形成され、微細形状となるため、第一基板５１および第二基板５２を接合させた場合に、接合面積が十分にとれず、電気抵抗も大きくなるなどの問題がある。
これに対して、第一接続接合部５４６は、変位部５２１の外側領域を囲って形成され、エタロン平面視においても、第二接続接合部５４７よりも大きい面積に形成され、第一接合膜５４４および第二接合膜５４５の接触面積も大きいため、電気抵抗も小さくすることができる。このため、第二電極５４２および第二電極パッド５４３をより確実に導通させることができる。
また、第一および第二接続接合部５４６，５４７を用いて、第一基板５１および第二基板５２を導通させている。したがって、例えば第二電極５４２と第二電極パッド５４３とを接続するための専用の電極パターンを形成することなく、第一基板５１および第二基板５２を接合させるたけの簡単な構成で第一基板５１および第二基板５２を導通させることができる。
【００５４】
さらに、第二基板５２は、第一基板５１の第一電極パッド５４１Ｂおよび第二電極パッド５４３に対向する位置がカットされ、切欠部５２６が形成されている。
このため、図４に示すように、第一電極パッド５４１Ｂおよび第二電極パッド５４３の表面側に作業スペースを確保することができるため、各電極パッド５４１Ｂ，５４３への導線の接続が容易に実施でき、配線作業効率を向上させることができる。
【００５５】
〔第二実施形態〕
次に、本発明の第二実施形態の測色モジュールについて説明する。
図８は、第二実施形態の波長可変干渉フィルターを構成するエタロン５Ａの概略構成を示す平面図である。図９は、第二実施形態のエタロン５Ａの第一基板５１に形成される電極パターンを示す模式図である。図１０は、第二実施形態のエタロン５Ａの第二基板５２に形成される電極パターンを示す模式図である。なお、上記第一実施形態と同様の構成については、同符号を付し、その説明を省略または簡略する。
【００５６】
第二実施形態の測色モジュールは、エタロン５において、第二電極５４２および第二電極パッド５４３を導通させるための構成が、上記第一実施形態と異なるものであり、その他の構成は、上記第一実施形態と同様であるため、その説明を省略する。
第一実施形態では、第二電極５４２が、接合面５１３，５２４に形成される第一接続接合部５４６および第二接続接合部５４７の双方を介して第二電極パッド５４３に導通される構成を例示したが、第二実施形態のエタロン５Ａでは、図８に示すように、第二接続接合部５４７のみを介して第二電極パッド５４３に導通される。
【００５７】
すなわち、エタロン５Ａの第一基板５１には、図９に示すように、第一実施形態と同様に、第一電極５４１と、第一電極５４１から２つの頂点方向（図９中左下方向および右上方向）に延びて形成される第一電極引出部５４１Ａおよび第一電極パッド５４１Ｂが形成される。また、第一基板５１には、図９における左上頂点、右下頂点に、第二電極パッド５４３が形成される。
また、第一基板５１の接合面５１３の各外周接続領域５１３Ａには、それぞれ接合用の第一接合膜５４４が形成される。ここで、この第一接合膜５４４は、第一実施形態と異なり、第一基板５１および第二基板５２を接合するためだけに形成されるものであり、第一実施形態で形成された電極連結部５４４Ａは設けられていない。このような第一接合膜５４４では、第一実施形態と異なり、導電性を有さず、接合強度のみが高い接着性の接合膜や、コストの低い接合層などを用いることもできる。
【００５８】
一方、第二基板５２には、図１０に示すように、第二電極５４２が形成され、第二電極５４２の外周縁から径外方向に向かって、接合面５２４の第二引出部接合領域５２４Ｂ上に延びる第二電極引出部５４２Ｂが形成されている。
また、第二基板５２の接合面５２４における外周接合領域５２４Ａには、第二接合膜５４５が形成されている。ここで、第二実施形態では、第二電極引出部５４２Ｂは、第二接合膜５４５には連結されず、第二電極５４２と第二接合膜５４５とは導通していない。
このような第二接合膜５４５では、第一接合膜５４４と同様、導電性を有さず、接合強度のみが高い接着性の接合膜や、コストの低い接合層などを用いることもできる。
【００５９】
以上のような電極が形成された第一基板５１および第二基板５２の接合では、外周接合領域５１３Ａ，５２４Ａの第一接合膜５４４および第二接合膜５４５を接合させ、第一引出部接合領域５１３Ｂの第二パッド引出部５４３Ａ、および第二引出部接合領域５２４Ｂの第二電極引出部５４２Ｂを接合させる。このようなエタロン５Ａでは、第二電極引出部５４２Ｂと第二パッド引出部５４３Ａとが接合することで、第二電極５４２および第二電極パッド５４３を導通させる第二接続接合部５４７が形成される。
【００６０】
（第二実施形態の作用効果）
上述したように、第二実施形態のエタロン５Ａでは、第二電極５４２および第二電極パッド５４３は、第二電極５４２および第二電極パッド５４３の接合により導通される。このような構成でも、前記第一実施形態と同様に、第一基板５１に第一電極パッド５４１Ｂ、第二電極パッド５４３を設けることができるため、エタロン５Ａと電圧制御手段６との接続作業を容易に実施することができる。また、エタロン５Ａでは、第一および第二接合膜５４４，５４５として、導電性を有しない接合膜と用いることもでき、膜の種類の選択における自由度を増やすことができる。
【００６１】
〔変形例〕
なお、本発明は前述の実施形態に限定されるものではなく、本発明の目的を達成できる範囲での変形、改良等は本発明に含まれるものである。
【００６２】
例えば、第一実施形態では、第一接続接合部５４６および第二接続接合部５４７を介して、第二電極５４２および第二電極パッド５４３が導通される構成、第二実施形態では、第二接続接合部５４７のみを介して第二電極５４２および第二電極パッド５４３が導通される構成を例示したがこれに限らない。例えば、第一実施形態における第一基板５１において、第二電極パッド５４３と接続される第二パッド引出部５４３Ａが設けられない構成としてもよく、この場合、第一接続接合部５４６のみを介して第二電極５４２および第二電極パッド５４３が導通される構成とすることもできる。
【００６３】
また、第一実施形態において、第二電極引出部５４２Ａは、第二引出部接合領域５２４Ｂを挟んで形成される一対の第二接合膜５４５のうち、いずれか一方に連結される構成としたが、これに限らない。例えば、第二電極引出部５４２Ａは、２つの第二接合膜５４５に接合される構成とし、これらの第二接合膜５４５と接合される各第一接合膜５４４は、それぞれ電極連結部５４４Ａにより第二電極パッド５４３に連結される構成としてもよい。
【００６４】
さらに、上記第一実施形態では、第一電極５４１、第一電極引出部５４１Ａ、第一電極パッド５４１Ｂ、第二電極５４２、第二電極引出部５４２Ａ、第二電極パッド５４３、第二パッド引出部５４３Ａ、第一接合膜５４４、電極連結部５４４Ａ、および第二接合膜５４５を、Ａｕ／Ｃｒ合金により形成する構成としたが、これに限られない。例えばＡｕ／Ｓｎ合金により形成するなど、他の素材により形成される構成としてもよく、さらに、例えば第一接合膜５４４および第二接合膜５４５をＡｕ／Ｓｎ合金で形成するなど、一部のみを他の導電性を有する素材により形成する構成などとしてもよい。
【００６５】
また、第一および第二実施形態において、本発明の連通部として、第二基板５２に切欠部５２６を設ける構成を例示したが、これに限定されず、例えば、第二基板５２の第一電極パッド５４１Ｂ、第二電極パッド５４３に対向する位置に、基板厚み方向に沿って第二基板５２を貫通する貫通孔が形成される構成などとしてもよい。
【００６６】
そして、第二実施形態において、接合面５１３，５２４の外周接合領域５１３Ａ，５２４Ａでは、第一接合膜５４４および第二接合膜５４５により接合されるとしたが、これに限られない。例えば、第一接合膜５４４および第二接合膜５４５が形成されず、接合面５１３，５２４を活性化し、活性化された接合面５１３，５２４を重ね合わせて加圧することにより接合する、いわゆる常温活性化接合により接合させる構成としてもよい。また、接合面５１３，５２４のうち、いずれか一方に導電性の接合膜を形成して、陽極接合により接合させる構成などとしてもよく、いかなる接合方法を用いてもよい。
【００６７】
また、エタロン５と電圧制御手段６との接続において、第一電極パッド５４１Ｂおよび第二電極パッド５４３に導線を接続する例を示したが、その接続方法としては、導線をワイヤボンディングにより接続する構成に限られず、例えばフレキシブル基板を接続する構成などとしてもよい。第二基板５２に切欠部５２６が形成され、配線のための作業スペースを確保することができるため、どのような配線方法を用いたとしても、配線作業を効率よく実施することができる。
【００６８】
その他、本発明の実施の際の具体的な構造および手順は、本発明の目的を達成できる範囲で他の構造などに適宜変更できる。
【符号の説明】
【００６９】
１…測色モジュール、３…測色センサー、４…制御装置、５…波長可変干渉フィルターを構成するエタロン、６…波長可変干渉フィルターを構成する電圧制御手段、３１…受光手段である受光素子、４３…測色処理部、５１…第一基板、５２…第二基板、５４…可変手段である静電アクチュエーター、５６…固定ミラー、５７…可動ミラー、５１３…接合面、５１３Ａ，５２４Ａ…外周接合領域、５１３Ｂ…第一引出部接合領域、５２４…接合面、５２４Ｂ…第二引出部接合領域、５２６…連通部を構成する切欠部、５４１…第一電極、５４１Ｂ…第一電極パッド、５４２…第二電極、５４２Ａ…第二電極引出部、５４３…第二電極パッド、５４３Ａ…第二パッド引出部、５４４…第一接合膜、５４５…第二接合膜、５４６…接合層を構成する第一接続接合部、５４７…接合層を構成する第二接続接合部。
【図１】
2011081056.tif 000003
【図２】
2011081056.tif 000004
【図３】
2011081056.tif 000005
【図４】
2011081056.tif 000006
【図５】
2011081056.tif 000007
【図６】
2011081056.tif 000008
【図７】
2011081056.tif 000009
【図８】
2011081056.tif 000010
【図９】
2011081056.tif 000011
【図１０】
2011081056.tif 000012